(57)【要約】【課題】組み立てが簡単な円筒形蛇篭を提供する。【解決手段】円筒形の胴網１１と、該胴網１１の端部を塞ぐ蓋網１２，１３とを有し、前記胴網１１は、半円筒形をなす２つの胴網形成部材１１ａ，１１ａと、円筒形に突き合わせた該２つの胴網形成部材１１ａ，１１ａの接合端同士を一体に結合する金属製の結合線１６とを有し、前記胴網形成部材１１ａの一端及び他端に半円形をした縁枠片２１ａがそれぞれ取り付けられると共に、該胴網形成部材１１ａの一端と他端との間の位置に半円形をした保形枠片２２ａが取り付けられていて、２つの胴網形成部材１１ａを前記結合線１６により円筒形に結合したとき、前記縁枠片２１ａ同士及び保形枠片２２ａ同士が前記結合線１６で一体に結合されることによって円形の縁枠２１及び保形枠２２が形成されるように構成された。【選択図】図２
2019027265.tif 000002
【特許請求の範囲】
【請求項１】
菱形金網により形成された円筒形の胴網と、該胴網の長さ方向の一端及び他端を塞ぐ菱形金網製の蓋網とを有し、
前記胴網は、円弧形に湾曲する部分円筒形をした複数の胴網形成部材と、該複数の胴網形成部材を円筒形に突き合わせた状態で隣接する胴網形成部材の接合端同士を一体に結合する金属製の結合線とを有し、
前記胴網形成部材には、該胴網形成部材の長さ方向の一端及び他端に、円弧形をした金属製の縁枠片がそれぞれ取り付けられていて、複数の胴網形成部材を前記結合線により円筒形に結合したとき、前記縁枠片同士が前記結合線で一体に結合されることによって円形の縁枠が形成されるように構成された、
ことを特徴とする円筒形蛇篭。
【請求項２】
前記胴網形成部材の円周方向の一端側及び他端側には、最も端部に位置する第１列線と該第１列線に連なる第２列線との折曲部同士が係合する位置に、補強線が該胴網形成部材の長さ方向に延在するように取り付けられ、該補強線の端部は、前記縁枠片の一定の位置に、該縁枠片に沿って移動不能なるように固定されていることを特徴とする請求項１に記載の円筒形蛇篭。
【請求項３】
前記胴網形成部材の一端と他端との間の位置に、円弧形をした金属製の保形枠片が取り付けられていて、複数の胴網形成部材を前記結合線により円筒形に結合したとき、前記保形枠片同士が前記結合線で一体に結合されることによって円形の保形枠が形成されるように構成されたことを特徴とする請求項１又は２に記載の円筒形蛇篭。
【請求項４】
前記胴網形成部材には、菱形金網の少なくとも一部の網目を該胴網形成部材の円周方向に２分する位置に、金属製の補助線が、該胴網形成部材の長さ方向に延在するように取り付けられていることを特徴とする請求項１から３の何れかに記載の円筒形蛇篭。
【請求項５】
前記補助線は、菱形金網を形成する列線の折曲部同士が係合する位置に、隣接する列線の折曲部にそれぞれ係止するように取り付けられていることを特徴とする請求項４に記載の円筒形蛇篭。
【請求項６】
前記保形枠片は、菱形金網の網目を前記胴網形成部材の長さ方向に２分する位置に取り付けられていることを特徴とする請求項１から５の何れかに記載の円筒形蛇篭。
【請求項７】
前記保形枠片は、菱形金網を形成する列線の折曲部同士が係合する位置に、隣接する列線の間を通るように配設されていることを特徴とする請求項６に記載の円筒形蛇篭。
【請求項８】
菱形金網で形成された円筒形の胴網と、該胴網の長さ方向の端部を塞ぐ菱形金網製の蓋網とを有する円筒形蛇篭を製造するための方法であって、
前記菱形金網からなる胴網材を円弧形に折り曲げて、該胴網材の長さ方向の一端及び他端に円弧形をした金属製の縁枠片をそれぞれ取り付けることにより、部分円筒形をした複数の胴網形成部材を形成する胴網形成部材形成工程と、
前記複数の胴網形成部材を円筒形に突き合わせ、該複数の胴網形成部材の接合端同士を、該胴網形成部材の側端部に位置する列線の折曲部に金属製の結合線を挿通して一体に結合することにより、円筒形をした前記胴網を形成する胴網形成工程と、
前記胴網の端部に前記蓋網を取り付ける蓋網取付工程とを有する、
ことを特徴とする円筒形蛇篭の製造方法。
【請求項９】
前記胴網形成部材形成工程が、前記胴網形成部材の円周方向一端側及び他端側の、最も端部に位置する第１列線と該第１列線に連なる第２列線との折曲部同士が係合する位置に、補強線を該胴網形成部材の長さ方向に延在するように取り付けて、該補強線の端部を、前記縁枠片の一定の位置に、該縁枠片に沿って移動不能なるように固定する工程を含むことを特徴とする請求項８に記載の円筒形蛇篭の製造方法。
【請求項１０】
前記胴網形成部材形成工程が更に、前記胴網材の一端と他端との間の位置に円弧形をした金属製の保形枠片を取り付ける工程を含むことを特徴とする請求項８又は９に記載の円筒形蛇篭の製造方法。
【請求項１１】
前記胴網形成部材形成工程が更に、前記胴網形成部材の少なくとも一部の網目を該胴網形成部材の円周方向に２分する位置に、金属製の補助線を該胴網形成部材の長さ方向に延在するように取り付けて、該補強線の両端部を前記縁枠片に係止させる工程を含むことを特徴とする請求項８から１０の何れかに記載の円筒形蛇篭の製造方法。
【発明の詳細な説明】
【技術分野】
【０００１】
本発明は、円筒形蛇篭に関するものであり、特に、蛇篭の長さが比較的短い場合に適した構成を有する円筒形蛇篭に関するものである。
【背景技術】
【０００２】
菱形金網により形成された円筒形蛇篭は、例えば特許文献１に開示されているように、河川の護岸工事や河床工事等に使用されている。この種の円筒形蛇篭は、一般に、菱形金網により予め円筒形に形成した胴網と、該胴網の両端を塞ぐ蓋網とからなっていて、前記胴網を折り畳んだ状態で設置現場に搬送し、該設置現場で、前記胴網を円筒状に広げながら、その内部に、針金を丸めて形成した保形用の丸輪を複数挿入することにより円筒形に整形し、内部に石材を充填したあと、前記蓋網で端部を塞ぐようにしている。
【０００３】
ところが、前記従来の円筒形蛇篭は、前記胴網を円筒形に広げるとき、前記菱形金網の列線の自由度が非常に大きいために、各列線がばらばらに変位したり、回転したり、傾いたりし易く、胴網の組み立て作業を行いづらいという問題がある。また、前記丸輪を針金で形成したとき、その直径が前記胴網の内径にうまく適合していないと、該丸輪を胴網内に挿入するのが困難であったり、胴網の張りが不足して列線の弛みが生じ、規格通りの円筒形蛇篭を組み立てることができないという問題もあった。
【先行技術文献】
【特許文献】
【０００４】
【特許文献１】特開平７−５４３２３号公報
【発明の概要】
【発明が解決しようとする課題】
【０００５】
本発明の技術的課題は、折り畳んだ胴網を円筒形に広げたり、円筒形に広げた該胴網の内部に丸輪を挿入して整形したりする手間をなくし、簡単且つ迅速に組み立てることができるようにした円筒形蛇篭を提供することにある。
【課題を解決するための手段】
【０００６】
前記課題を解決するため、本発明の円筒形蛇篭は、菱形金網により形成された円筒形の胴網と、該胴網の長さ方向の一端及び他端を塞ぐ菱形金網製の蓋網とを有し、前記胴網は、円弧形に湾曲する部分円筒形をした複数の胴網形成部材と、該複数の胴網形成部材を円筒形に突き合わせた状態で隣接する胴網形成部材の接合端同士を一体に結合する金属製の結合線とを有し、前記胴網形成部材には、該胴網形成部材の長さ方向の一端及び他端に、円弧形をした金属製の縁枠片がそれぞれ取り付けられていて、複数の胴網形成部材を前記結合線により円筒形に結合したとき、前記縁枠片同士が前記結合線で一体に結合されることによって円形の縁枠が形成されるように構成されたことを特徴とするものである。
【０００７】
本発明において、前記胴網形成部材の円周方向の一端側及び他端側には、最も端部に位置する第１列線と該第１列線に連なる第２列線との折曲部同士が係合する位置に、補強線が該胴網形成部材の長さ方向に延在するように取り付けられ、該補強線の端部は、前記縁枠片の一定の位置に、該縁枠片に沿って移動不能なるように固定されていることが望ましい。
【０００８】
本発明においては、前記胴網形成部材の一端と他端との間の位置に、円弧形をした金属製の保形枠片が取り付けられていて、複数の胴網形成部材を前記結合線により円筒形に結合したとき、前記保形枠片同士が前記結合線で一体に結合されることによって円形の保形枠が形成されるように構成することもできる。
【０００９】
また、本発明において、前記胴網形成部材には、菱形金網の少なくとも一部の網目を該胴網形成部材の円周方向に２分する位置に、金属製の補助線が、該胴網形成部材の長さ方向に延在するように取り付けられていても良い。
【００１０】
この場合、前記補助線は、菱形金網を形成する列線の折曲部同士が係合する位置に、隣接する列線の折曲部にそれぞれ係止するように取り付けられていることが望ましい。
【００１１】
また、前記保形枠片は、菱形金網の網目を前記胴網形成部材の長さ方向に２分する位置に取り付けられていることが望ましく、より望ましくは、菱形金網を形成する列線の折曲部同士が係合する位置に、隣接する列線の間を通るように配設されていることである。
【００１２】
また、本発明によれば、菱形金網で形成された円筒形の胴網と、該胴網の長さ方向の端部を塞ぐ菱形金網製の蓋網とを有する円筒形蛇篭を製造するための方法が提供される。この方法は、前記菱形金網からなる胴網材を円弧形に折り曲げて、該胴網材の長さ方向の一端及び他端に円弧形をした金属製の縁枠片をそれぞれ取り付けることにより、部分円筒形をした複数の胴網形成部材を形成する胴網形成部材形成工程と、前記複数の胴網形成部材を円筒形に突き合わせ、該複数の胴網形成部材の接合端同士を、該胴網形成部材の側端部に位置する列線の折曲部に金属製の結合線を挿通して一体に結合することにより、円筒形をした前記胴網を形成する胴網形成工程と、前記胴網の端部に前記蓋網を取り付ける蓋網取付工程とを有することを特徴とする。
【００１３】
前記胴網形成部材形成工程は、前記胴網形成部材の円周方向一端側及び他端側の、最も端部に位置する第１列線と該第１列線に連なる第２列線との折曲部同士が係合する位置に、補強線を該胴網形成部材の長さ方向に延在するように取り付けて、該補強線の端部を、前記縁枠片の一定の位置に、該縁枠片に沿って移動不能なるように固定する工程を含んでいても良い。
【００１４】
また、前記胴網形成部材形成工程は、前記胴網材の一端と他端との間の位置に円弧形をした金属製の保形枠片を取り付ける工程を含んでいても良い。
【００１５】
さらに、前記胴網形成部材形成工程は、前記胴網形成部材の少なくとも一部の網目を該胴網形成部材の円周方向に２分する位置に、金属製の補助線を該胴網形成部材の長さ方向に延在するように取り付けて、該補強線の両端部を前記縁枠片に係止させる工程を含んでいても良い。
【発明の効果】
【００１６】
本発明の円筒形蛇篭は、円弧形に湾曲する部分円筒形をした複数の胴網形成部材を円筒形に突き合わせ、突き合わせた該胴網形成部材の接合端同士を結合線で一体に結合することにより胴網を組み立てることができるので、従来の円筒形蛇篭のように、予め円筒状に形成した胴網を、折り畳んだ状態から、自由度の大きい列線の動きを調整しながら筒状に広げ、その内部に丸輪を挿入することによって円筒形に組み立てる場合に比べ、胴網の組立作業を簡単且つ迅速に行うことができる。
【図面の簡単な説明】
【００１７】
【図１】本発明に係る円筒形蛇篭の第１実施形態を、蓋網を分離した状態の斜視図である。
【図２】前記円筒形蛇篭の分解斜視図である。
【図３】図２の要部拡大図である。
【図４】図２の要部拡大図である。
【図５】図２の状態から胴網を組み立てた段階の斜視図である。
【図６】図５の要部拡大図である。
【図７】石材を充填して蓋網を取り付けた状態の円筒形蛇篭の斜視図である。
【図８】本発明に係る円筒形蛇篭の第２実施形態の胴網を、分解した状態で示す平面図である。
【図９】本発明に係る円筒形蛇篭の第３実施形態の胴網を、分解した状態で示す平面図である。
【発明を実施するための形態】
【００１８】
図は本発明に係る円筒形蛇篭の第１実施形態を、蓋網を取り外した状態で示すものである。この円筒形蛇篭１０は、図１に示すように、菱形金網により形成された円筒形の胴網１１と、該胴網１１の長さ方向（軸線Ｌ方向）の一端及び他端を塞ぐ菱形金網製の蓋網１２，１３とを有している。なお、図では、前記円筒形蛇篭１０が軸線Ｌを縦向きにして描かれているため、以下の説明では、該円筒形蛇篭１０を形成する各部材について、長さ方向の一端及び他端のことを上端及び下端と呼ぶこともある。
【００１９】
前記菱形金網は、図３から明らかなように、扁平な螺旋形に折曲された列線１４を、折曲部１４ａ同士を相互に係止させた状態で順次連ねることにより形成されたもので、菱形の網目１５を有するものである。
【００２０】
前記胴網１１は、図２に示すように、円弧形に湾曲させることによって半円筒形に形成された２つの胴網形成部材１１ａ，１１ａと、該２つの胴網形成部材１１ａ，１１ａを円筒形に突き合わせた状態で、両者の接合端同士を一体に結合する針金製の結合線１６とを有している。
【００２１】
前記胴網形成部材１１ａは、菱形金網からなる胴網材２０と、該胴網材２０の長さ方向の一端及び他端にそれぞれ取り付けられた半円形をなす針金製の縁枠片２１ａと、前記胴網材２０の一端と他端との間の２箇所に取り付けられた半円形をなす針金製の保形枠片２２ａと、前記胴網材２０の円周方向の両側端部寄りの位置に、該胴網材２０の長さ方向に延在するようにそれぞれ取り付けられた針金製の補強線２３と、前記胴網材２０の各網目１５を該胴網形成部材１１ａの円周方向に２分する位置に、該胴網形成部材１１ａの長さ方向に延在するように取り付けられた針金製の補助線２４とを有している。
【００２２】
前記胴網材２０を形成する菱形金網の列線１４は、該胴網材２０の長さ方向に向けられており、各列線１４の上下両端部には、連結用の環１４ｂがそれぞれ形成されている。
また、前記縁枠片２１ａは、前記列線１４の端部の環１４ｂに挿通することにより、前記胴網材２０の端部に取り付けられており、各縁枠片２１ａの両端には、連結用の環２１ｂがそれぞれ形成されている。
【００２３】
更に、前記保形枠片２２ａは、図２及び図３から明らかなように、菱形金網を形成する列線１４の折曲部１４ａ同士が係合する位置に、該菱形金網の網目１５を胴網形成部材１１ａの長さ方向に２分するように取り付けられている。その際、該保形枠片２２ａは、前記胴網材２０の内面即ち列線１４の内面に当接するように取り付けても良いが、図３に示すように、隣接する２つの列線１４，１４の間、即ち、一方の列線１４の内面と他方の列線１４の外面との間を通るように取り付けることが望ましい。前記保形枠片２２ａの両端部には、連結用の環２２ｂが形成されている。
なお、図示した例では、前記保形枠片２２ａが２つ設けられているが、該保形枠片２２ａは、前記胴網材２０の長さに応じて、１つだけ取り付けることも、３つ以上取り付けることもでき、胴網材２０の長さが短い場合には必ずしも取り付ける必要はない。
【００２４】
また、前記補強線２３は、図２及び図４から明らかなように、前記胴網材２０の円周方向の一端側及び他端側における、最も端部に位置する第１列線１４−１と、該第１列線１４−１に連なる第２列線１４−２との折曲部１４ａ，１４ａ同士が係合する位置に、両方の列線１４−１及び１４−２の折曲部１４ａ及び１４ａにそれぞれ係止した状態で、該胴網材２０の長さ方向に延在するように取り付けられている。該補強線２３の上下両端部２３ａは、前記縁枠片２１ａに巻き付けてかしめることにより、該縁枠片２１ａの一定の位置に固く密着され、該縁枠片２１ａに沿って移動することができないように固定されている。この結果、前記第１列線１４−１及び第２列線１４−２が、前記補強線２３に係止することよって前記縁枠片２１ａに沿って移動不能なるように拘束されるため、その他の列線１４も、前記縁枠片２１ａに沿って移動することができなくなり、そのため、前記胴網形成部材１１ａの形状は、半円筒形に確実且つ安定的に保持されることになる。
【００２５】
更に、前記補助線２４は、図３からも明らかなように、菱形金網の各網目１５を胴網材２０の円周方向に２分する位置、即ち、隣接する列線１４，１４の折曲部１４ａ，１４ａ同士が係合する位置に、両方の列線１４，１４の折曲部１４ａ，１４ａにそれぞれ係止した状態で、該胴網材２０の長さ方向に延在するように取り付けられている。このとき、前記補助線２４は、前記保形枠片２２ａの内側に配設しても、外側に配設しても良い。また、前記補助線２４の上下両端部は、前記縁枠片２１ａに巻き付けることにより該縁枠片２１ａに連結されている。
【００２６】
前記補助線２４は、前記縁枠片２１ａより先に胴網材２０に取り付けても良く、その場合は、胴網材２０に取り付けた該補助線２４の上下両端部にそれぞれ環２４ａを形成しておき、この環２４ａに前記縁枠片２１ａを挿通させるようにすることが望ましい。前記補強線２３についても同様であるが、該補強線２３の場合は、その端部２３ａに形成した環に前記縁枠片２１ａを挿通したあと、該環をかしめて押し潰し、前記縁枠片２１ａに圧着させて固定するようにする。
【００２７】
前記補強線２３は、菱形金網の列線１４と同じ線径を有する線材で形成しても良いが、該補強線２３に胴網１１の長さ方向の剛性を高める機能を持たせる場合は、図示したように、前記列線１４より線径の大きい線材を用いて形成するのが望ましい。
また、前記補助線２４についても、前記列線１４と同じ線径を有する線材で形成しても良いが、この補助線２４は、主として、菱形金網の網目１５を狭くすることによって円筒形蛇篭１０内の石材の一部分が該網目１５を通じて外部に突出するのを防止する役目を果たすものであるため、それほど大きい剛性を必要とせず、従って、図示したように、前記列線１４より線径の小さい線材を用いて形成することができる。しかし、該補助線２４にも、前記役目を果たすために必要な剛性を持たせる必要があるため、該補助線２４の線径は、前記列線１４の線径の１／２以上程度とすることが望ましい。
【００２８】
前記蓋網１２，１３は、菱形金網からなる円形の蓋網材１２ａ，１３ａの外周に、針金からなるリング状の蓋枠１２ｂ，１３ｂを取り付けたものである。前記蓋網材１２ａ，１３ａは、前記胴網材２０と同じ菱形金網で形成されている。
【００２９】
図２の状態から、前記円筒形蛇篭１０を組み立てる場合は、先ず、前記２つの胴網形成部材１１ａ，１１ａを円筒形に突き合わせ、互いの接合端を前記結合線１６で結合することにより円筒形の胴網１１を形成する。その結合は、図５及び図６に示すように、２つの胴網形成部材１１ａ，１１ａの上端に位置する２つの縁枠片２１ａ，２１ａの環２１ｂ，２１ｂ同士、及び、下端に位置する２つの縁枠片２１ａ，２１ａの環２１ｂ，２１ｂ同士を、それぞれ同心状に重ね合わせると共に、相対する２つの保形枠片２２ａの環２２ｂ，２２ｂ同士も同心状に重ね合わせた状態で、前記結合線１６を、前記各環２１ｂ，２２ｂに順次挿通すると同時に、一方の胴網形成部材１１ａの側端部に位置する第１列線１４−１の折曲部１４ａと、他方の胴網形成部材１１ａの側端部に位置する第１列線１４−１の折曲部１４ａとに挿通し、挿通した前記結合線１６の上下の端部１６ａを、上下の縁枠片２１ａの環２１ｂに環状に巻き付け、重ね合わせた環２１ｂ，２１ｂを一体に結着することにより行う。
【００３０】
これにより、円筒形をした前記胴網１１が形成されると同時に、該胴網１１の上端及び下端に、前記２つの縁枠片２１ａからなる円形の縁枠２１がそれぞれ形成され、且つ、該胴網１１の上下方向の中央より上端寄りの位置と下端寄りの位置とに、前記２つの保形枠片２２ａからなる円形の保形枠２２が形成される。
【００３１】
このように、前記胴網１１は、半円筒形をした２つの胴網形成部材１１ａ，１１ａを円筒形に突き合わせ、それらの接合端同士を結合線１６で一体に結合することにより組み立てることができるので、従来の円筒形蛇篭のように、予め円筒状に形成した胴網を、折り畳んだ状態から、自由度の大きい列線の動きを調整しながら筒状に広げ、その内部に丸輪を挿入することによって円筒形に組み立てる場合に比べ、組立作業を簡単且つ迅速に行うことができる。
特に、前記胴網形成部材１１ａは、前記補強線２３を取り付けることによって各列線１４の自由度が制限され、該列線１４の変位や移動、回転等が防止されて安定した半円筒形を維持するように構成されているため、前記胴網１１の組立作業はより簡単になる。
【００３２】
次に、前記胴網１１の下端に前記蓋網１３を取り付けることにより、図１に示すような円筒形蛇篭１０が得られる。前記蓋網１３の取り付けは、スクリューストッパのような取付金具２５を使用して、前記胴網１１の下端の縁枠２１と、前記蓋網１３の外周の蓋枠１３ｂとを結合することにより行う。
【００３３】
このようにして得られた前記円筒形蛇篭１０は、図７に示すように、内部に石材等の充填物２６を充填したあと上端の蓋網１２が取り付けられ、河川の護岸工事や護床工事等の現場に縦向きや横向きあるいは斜め向きにして設置される。
【００３４】
なお、前記実施形態においては、前記胴網１１の全ての網目１５を２分する位置に前記補助線２４が取り付けられているが、円筒形蛇篭１０の大きさや網目１５の大きさあるいは充填物２６の種類等によっては、一つ置きの網目１５に補助線２４を取り付けるなど、少なくとも一部の網目１５に該補助線２４を取り付けるようにすることにより、該補助線２４の数を前記実施形態の場合より減らしても良く、場合によっては、前記補助線２４を全く取り付けなくても構わない。
【００３５】
前記第１実施形態の円筒形蛇篭１０は、前記胴網１１が２つの胴網形成部材１１ａに分割されているが、該胴網１１は、３つ以上の胴網形成部材に分割されていても良い。
図８に示す第２実施形態の円筒形蛇篭１０Ａにおいては、胴網１１が、円弧形に湾曲する部分円筒形をした３つの胴網形成部材１１ａに分割されていて、円筒形に突き合わせた該３つの胴網形成部材１１ａを３本の連結線（不図示）で連結することにより、円筒形をした前記胴網１１が形成されるようになっており、また、図９に示す第３実施形態の円筒形蛇篭１０Ｂにおいては、胴網１１が、円弧形に湾曲する部分円筒形をした４つの胴網形成部材１１ａに分割されていて、円筒形に突き合わせた該４つの胴網形成部材１１ａを４本の連結線（不図示）で連結することにより、円筒形をした前記胴網１１が形成されるようになっている。
【００３６】
なお、前記第２実施形態の円筒形蛇篭１０Ａにおける各胴網形成部材１１ａ、及び、前記第３実施形態の円筒形蛇篭１０Ｂにおける各胴網形成部材１１ａは、前記第１実施形態の円筒形蛇篭１０の胴網形成部材１１ａと比べ、円弧の長さが異なる程度で、それ以外の構成は実質的に同一であるため、そられの詳細な図示及び説明は省略されている。
【００３７】
また、前記第２実施形態の円筒形蛇篭１０Ａ及び第３実施形態の円筒形蛇篭１０Ｂにおいては、胴網１１を形成する複数の胴網形成部材１１ａが互いに同一形状を有していて、各々の円弧の長さは互いに同一であるが、複数の胴網形成部材１１ａの円弧の長さは互いに異なっていても良い。
【００３８】
また、図示した実施形態では、前記円筒形蛇篭１０，１０Ａ，１０Ｂの長さが直径の約１．３倍程度に形成されているが、該円筒形蛇篭１０，１０Ａ，１０Ｂの長さはこれより小さくても大きくても良い。通常、円筒形蛇篭を縦向きに設置する場合は、長さを直径の１−２倍程度に形成することが多く、横向きや斜め向き等に設置する場合は、長さの制限は特にない。
【符号の説明】
【００３９】
１０，１０Ａ，１０Ｂ      円筒形蛇篭
１１      胴網
１１ａ      胴網形成部材
１２，１３      蓋網
１４      列線
１４ａ      折曲部
１４−１      第１列線
１４−２      第２列線
１５      網目
１６      結合線
２０      胴網材
２１      縁枠
２１ａ      縁枠片
２１ｂ      環
２２      保形枠
２２ａ      保形枠片
２２ｂ      環
２３      補強線
２３ａ      端部
２４      補助線
【図１】
2019027265.tif 000003
【図２】
2019027265.tif 000004
【図３】
2019027265.tif 000005
【図４】
2019027265.tif 000006
【図５】
2019027265.tif 000007
【図６】
2019027265.tif 000008
【図７】
2019027265.tif 000009
【図８】
2019027265.tif 000010
【図９】
2019027265.tif 000011
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
菱形金網により形成された円筒形の胴網と、該胴網の長さ方向の一端及び他端を塞ぐ菱形金網製の蓋網とを有し、
前記胴網は、円弧形に湾曲する部分円筒形をした複数の胴網形成部材と、該複数の胴網形成部材を円筒形に結合する金属製の結合線とを有し、
前記胴網形成部材は、菱形金網からなる胴網材と、該胴網材の長さ方向の一端及び他端に、前記菱形金網を形成する列線の端部を折曲することによりそれぞれ形成された縁枠片挿通用の環と、該縁枠片挿通用の環に挿通することにより前記胴網材の一端及び他端にそれぞれ取り付けられた円弧形をなす金属製の縁枠片とを有し、該縁枠片の両端に連結用の環が形成されており、
前記胴網形成部材の円周方向の一端及び他端には、金属製の補強線が、前記菱形金網の列線に係止した状態で該胴網形成部材の長さ方向に延在するように配設され、該補強線の端部は、前記縁枠片の一定の位置に、該縁枠片に沿って移動不能なるように固定され、該補強線により、前記列線の前記縁枠片に沿った移動が抑制されており、
前記複数の胴網形成部材を円筒形に突き合わせた状態で、隣接する胴網形成部材における前記縁枠片の端部の連結用の環と、前記胴網形成部材の円周方向の最も端部に位置する第１列線の折曲部とに、前記結合線を挿通することにより、前記円筒形の胴網が形成されると共に、該胴網の両端に円形の縁枠が形成されている、
ことを特徴とする円筒形蛇篭。
【請求項２】
前記補強線は、前記第１列線と該第１列線に連なる第２列線との折曲部同士が係合する位置に、該第１列線及び第２列線の両方に係止した状態に配設されていることを特徴とする請求項１に記載の円筒形蛇篭。
【請求項３】
前記胴網形成部材の一端と他端との間の位置に、円弧形をした金属製の保形枠片が取り付けられていて、複数の胴網形成部材を前記結合線により円筒形に結合したとき、前記保形枠片同士が前記結合線で一体に結合されることによって円形の保形枠が形成されていることを特徴とする請求項１又は２に記載の円筒形蛇篭。
【請求項４】
前記胴網形成部材には、菱形金網の少なくとも一部の網目を該胴網形成部材の円周方向に２分する位置に、金属製の補助線が、該胴網形成部材の長さ方向に延在するように取り付けられていることを特徴とする請求項１から３の何れかに記載の円筒形蛇篭。
【請求項５】
前記補助線は、菱形金網を形成する列線の折曲部同士が係合する位置に、隣接する列線の折曲部にそれぞれ係止するように取り付けられていることを特徴とする請求項４に記載の円筒形蛇篭。
【請求項６】
前記保形枠片は、菱形金網の網目を前記胴網形成部材の長さ方向に２分する位置に取り付けられていることを特徴とする請求項１から５の何れかに記載の円筒形蛇篭。
【請求項７】
前記保形枠片は、菱形金網を形成する列線の折曲部同士が係合する位置に、隣接する列線の間を通るように配設されていることを特徴とする請求項６に記載の円筒形蛇篭。
【請求項８】
菱形金網で形成された円筒形の胴網と、該胴網の長さ方向の端部を塞ぐ菱形金網製の蓋網とを有する円筒形蛇篭を製造するための方法であって、
前記方法は、円弧形に湾曲する部分円筒形をした複数の胴網形成部材を形成する胴網形成部材形成工程と、前記複数の胴網形成部材を円筒形に突き合わせて結合線で結合することにより胴網を形成する胴網形成工程と、前記胴網の端部に前記蓋網を取り付ける蓋網取付工程とを有し、
前記胴網形成部材形成工程は、菱形金網からなる胴網材の長さ方向の一端及び他端に、前記菱形金網を形成する列線の端部を折曲することにより縁枠片挿通用の環を形成する工程、該縁枠片挿通用の環に金属製の縁枠片を挿通することにより、前記胴網材の一端及び他端にそれぞれ縁枠片を取り付けて、該縁枠片の両端に連結用の環を形成する工程、前記胴網形成部材の円周方向の一端及び他端に、金属製の補強線を、前記菱形金網の列線に係止させた状態で該胴網形成部材の長さ方向に延在するように配設し、該補強線の端部を、前記縁枠片の一定の位置に該縁枠片に沿って移動不能なるように固定することにより、該補強線で前記列線の前記縁枠片に沿った移動を抑制する工程、を有し、
前記胴網形成工程においては、前記複数の胴網形成部材を円筒形に突き合わせ、隣接する胴網形成部材における前記縁枠片の端部の連結用の環と、前記胴網形成部材の円周方向の最も端部に位置する第１列線の折曲部とに、前記結合線を挿通することにより、前記円筒形の胴網を形成すると共に、該胴網の両端に円形の縁枠を形成する、
ことを特徴とする円筒形蛇篭の製造方法。
【請求項９】
前記補強線は、前記第１列線と該第１列線に連なる第２列線との折曲部同士が係合する位置に、前記第１列線及び第２列線の両方にそれぞれ係止した状態に配設することを特徴とする請求項８に記載の円筒形蛇篭の製造方法。
【請求項１０】
前記胴網形成部材形成工程が更に、前記胴網材の一端と他端との間の位置に円弧形をした金属製の保形枠片を取り付ける工程を含むことを特徴とする請求項８又は９に記載の円筒形蛇篭の製造方法。
【請求項１１】
前記胴網形成部材形成工程が更に、前記胴網形成部材の少なくとも一部の網目を該胴網形成部材の円周方向に２分する位置に、金属製の補助線を該胴網形成部材の長さ方向に延在するように取り付けて、該補助線の両端部を前記縁枠片に係止させる工程を含むことを特徴とする請求項８から１０の何れかに記載の円筒形蛇篭の製造方法。
【手続補正２】
【補正対象書類名】明細書
【補正対象項目名】０００６
【補正方法】変更
【補正の内容】
【０００６】
前記課題を解決するため、本発明の円筒形蛇篭は、菱形金網により形成された円筒形の胴網と、該胴網の長さ方向の一端及び他端を塞ぐ菱形金網製の蓋網とを有し、前記胴網は、円弧形に湾曲する部分円筒形をした複数の胴網形成部材と、該複数の胴網形成部材を円筒形に結合する金属製の結合線とを有し、前記胴網形成部材は、菱形金網からなる胴網材と、該胴網材の長さ方向の一端及び他端に、前記菱形金網を形成する列線の端部を折曲することによりそれぞれ形成された縁枠片挿通用の環と、該縁枠片挿通用の環に挿通することにより前記胴網材の一端及び他端にそれぞれ取り付けられた円弧形をなす金属製の縁枠片とを有し、該縁枠片の両端に連結用の環が形成されており、前記胴網形成部材の円周方向の一端及び他端には、金属製の補強線が、前記菱形金網の列線に係止した状態で該胴網形成部材の長さ方向に延在するように配設され、該補強線の端部は、前記縁枠片の一定の位置に、該縁枠片に沿って移動不能なるように固定され、該補強線により、前記列線の前記縁枠片に沿った移動が抑制されており、前記複数の胴網形成部材を円筒形に突き合わせた状態で、隣接する胴網形成部材における前記縁枠片の端部の連結用の環と、前記胴網形成部材の円周方向の最も端部に位置する第１列線の折曲部とに、前記結合線を挿通することにより、前記円筒形の胴網が形成されると共に、該胴網の両端に円形の縁枠が形成されていることを特徴とするものである。
【手続補正３】
【補正対象書類名】明細書
【補正対象項目名】０００７
【補正方法】変更
【補正の内容】
【０００７】
本発明において、前記補強線は、前記第１列線と該第１列線に連なる第２列線との折曲部同士が係合する位置に、該第１列線及び第２列線の両方に係止した状態に配設されていることが望ましい。
【手続補正４】
【補正対象書類名】明細書
【補正対象項目名】００１２
【補正方法】変更
【補正の内容】
【００１２】
また、本発明によれば、菱形金網で形成された円筒形の胴網と、該胴網の長さ方向の端部を塞ぐ菱形金網製の蓋網とを有する円筒形蛇篭を製造するための方法が提供される。
前記方法は、円弧形に湾曲する部分円筒形をした複数の胴網形成部材を形成する胴網形成部材形成工程と、前記複数の胴網形成部材を円筒形に突き合わせて結合線で結合することにより胴網を形成する胴網形成工程と、前記胴網の端部に前記蓋網を取り付ける蓋網取付工程とを有し、前記胴網形成部材形成工程は、菱形金網からなる胴網材の長さ方向の一端及び他端に、前記菱形金網を形成する列線の端部を折曲することにより縁枠片挿通用の環を形成する工程、該縁枠片挿通用の環に金属製の縁枠片を挿通することにより、前記胴網材の一端及び他端にそれぞれ縁枠片を取り付けて、該縁枠片の両端に連結用の環を形成する工程、前記胴網形成部材の円周方向の一端及び他端に、金属製の補強線を、前記菱形金網の列線に係止させた状態で該胴網形成部材の長さ方向に延在するように配設し、該補強線の端部を、前記縁枠片の一定の位置に該縁枠片に沿って移動不能なるように固定することにより、該補強線で前記列線の前記縁枠片に沿った移動を抑制する工程、を有し、前記胴網形成工程においては、前記複数の胴網形成部材を円筒形に突き合わせ、隣接する胴網形成部材における前記縁枠片の端部の連結用の環と、前記胴網形成部材の円周方向の最も端部に位置する第１列線の折曲部とに、前記結合線を挿通することにより、前記円筒形の胴網を形成すると共に、該胴網の両端に円形の縁枠を形成することを特徴とする。
【手続補正５】
【補正対象書類名】明細書
【補正対象項目名】００１３
【補正方法】変更
【補正の内容】
【００１３】
本発明において、前記補強線は、前記第１列線と該第１列線に連なる第２列線との折曲部同士が係合する位置に、前記第１列線及び第２列線の両方にそれぞれ係止した状態に配設する。
【手続補正６】
【補正対象書類名】明細書
【補正対象項目名】００１５
【補正方法】変更
【補正の内容】
【００１５】
さらに、前記胴網形成部材形成工程は、前記胴網形成部材の少なくとも一部の網目を該胴網形成部材の円周方向に２分する位置に、金属製の補助線を該胴網形成部材の長さ方向に延在するように取り付けて、該補助線の両端部を前記縁枠片に係止させる工程を含んでいても良い。